(57)【要約】【課題】計算のためのキーの数の増加を抑える。【解決手段】計算装置（１０１）は、金額を表示する表示部（３）と、複数の異なる固定の税率が対応付けられた複数の固定税率キー（２２，２３）と、固定税率キー（２２，２３）のうちの操作された１つに対応付けられた税率に基づいて、税込額を計算する計算部（９）と、計算部（９）によって計算された金額を表示部（３）に表示させる表示制御部（１０）と、を備えている。【選択図】図３
2020187422.tif 000002
【特許請求の範囲】
【請求項１】
金額を表示する表示部と、
複数の異なる固定の税率が対応付けられた複数の固定税率キーと、
操作された１つの前記固定税率キーに対応付けられた税率に基づいて、税込額を計算する計算部と、
前記計算部によって計算された金額を前記表示部に表示させる表示制御部と、を備えていることを特徴とする計算装置。
【請求項２】
前記計算部は、前記表示部に表示された金額に当該税率を乗じた税額を当該金額に加算する、ことを特徴とする請求項１に記載の計算装置。
【請求項３】
前記表示制御部は、操作された前記固定税率キーに対応付けられた税率を前記表示部に表示させることを特徴とする請求項１または２に記載の計算装置。
【請求項４】
前記表示制御部は、前記税込額が前記表示部に表示された状態で、操作された前記固定税率キーと同じ前記固定税率キーの操作に応じて得られた税額を前記表示部に表示させ、当該税額が前記表示部に表示された状態で、操作された前記固定税率キーと同じ前記固定税率キーの操作に応じて得られた前記税込額を前記表示部に表示させることを特徴とする請求項１から３のいずれか１項に記載の計算装置。
【請求項５】
税額を減じる操作を行なうための税抜操作キーをさら１つに備え、
前記表示制御部は、前記税抜操作キーの操作に応じて、前記表示部に表示されている前記税率に基づいて得られた税抜額を前記表示部に表示させることを特徴とする請求項３または４に記載の計算装置。
【請求項６】
表示部は、前記計算部によって行なわれる計算が税込計算、税抜計算および税額計算のいずれか１つであることを表す計算情報を、税率に近接した位置に表示することを特徴とする請求項３から５のいずれか１項に記載の計算装置。
【請求項７】
任意の税率が対応付けられた任意税率キーをさらに備え、
前記計算部は、前記任意税率キーおよび複数の前記固定税率キーのうちの操作された１つに対応付けられた税率に基づいて、税込額を計算し、
前記任意税率キーには、最も高い税率が対応付けられ、
前記固定税率キーと前記任意税率キーとは、それぞれに対応付けられた税率の順に並ぶように配置されていることを特徴とする請求項１から６のいずれか１項に記載の計算装置。
【請求項８】
数値を入力するための数値キーであって、それぞれに割り当てられた数値が大きくなる順に配置されている複数の数値キーをさらに備え、
前記固定税率キーおよび前記任意税率キーは、前記数値キーにそれぞれ割り当てられた数値が増加する方向に沿って、それぞれに対応付けられた税率が高くなる順に並ぶように配置されていることを特徴とする請求項７に記載の計算装置。
【請求項９】
前記固定税率キーのそれぞれには、対応付けられた税率が明示されていることを特徴とする請求項１から８のいずれか１項に記載の計算装置。
【請求項１０】
請求項１から９のいずれか１項に記載の計算装置としてコンピュータを機能させるための計算プログラムであって、前記計算部および前記表示制御部としてコンピュータを機能させるための計算プログラム。
【請求項１１】
計算装置に設けられた表示部に金額を表示させる表示ステップと、
前記計算装置に設けられた、複数の異なる税率が対応付けられた複数の固定税率キーのいずれか１つの操作に基づいて税込額を計算する計算ステップと、を含み、
前記表示ステップにおいて、計算された金額を前記表示部に表示させることを特徴とする計算方法。
【発明の詳細な説明】
【技術分野】
【０００１】
本発明は、複数の税率を使い分けて計算する計算装置に関する。
【背景技術】
【０００２】
卓上計算装置には、税込計算や税抜計算を行なう機能を有する機種が存在しており、複数の税率に対応した機種もある。例えば、特許文献１には、２種類の税率を使い分けて、税込計算または税抜計算を行なうことができる計算装置が開示されている。
【０００３】
この計算装置は、税込１計算キーが操作されると、税込１計算キーに設定された税率で税込額を計算し、税込２計算キーが操作されると、税込２計算キーに設定された他の税率で税込額を計算する。また、この計算装置は、税抜１計算キーが操作されると、税抜１計算キーに設定された税率で税抜額を計算し、税抜２計算キーが操作されると、税抜２計算キーに設定された他の税率で税抜額を計算する。
【０００４】
また、複数の税率を切り替える機能を有する計算装置も存在する。このような計算装置は、税率が設定された複数の税率キーのいずれかが操作されると、当該税率キーに設定された税率に切り替わり、続いて金額が入力された後に税込計算キーが操作されると、切り替わった税率で税込額を計算する。税抜額を計算する場合、当該計算装置は、金額の入力後に税抜計算キーが操作されると、切り替わった税率で税抜額を計算する。
【０００５】
また、税率の切り替えをスライドスイッチで行なう計算装置も存在する。このような計算装置では、上記の計算装置で行なわれる税率の切り替えがスライドスイッチの操作によって行なわれる。
【先行技術文献】
【特許文献】
【０００６】
【特許文献１】特許６４２８７３４号（２０１８年１１月２８日発行）
【発明の概要】
【発明が解決しようとする課題】
【０００７】
しかしながら、特許文献１に開示された計算装置は、税率に応じた税込計算キーおよび税抜計算キーを備えている。このため、税率が増えた場合、増えた税率に対応する税込計算キーおよび税抜計算キーの対を設ける必要がある。
【０００８】
本発明の一態様は、計算のためのキーの数の増加を抑えることを目的とする。
【課題を解決するための手段】
【０００９】
上記の課題を解決するために、本発明の一態様に係る計算装置は、金額を表示する表示部と、複数の異なる固定の税率が対応付けられた複数の固定税率キーと、操作された１つの前記固定税率キーに対応付けられた税率に基づいて、税込額を計算する計算部と、前記計算部によって計算された金額を前記表示部に表示させる表示制御部と、を備えている。
【発明の効果】
【００１０】
本発明の一態様によれば、計算のためのキーの数の増加を抑えることができる。
【図面の簡単な説明】
【００１１】
【図１】本発明の実施形態１に係る計算装置の外観構成を示す平面図である。
【図２】上記計算装置のシステム構成を示すブロック図である。
【図３】上記計算装置の制御部を中心とする主要部の構成を示すブロック図である。
【図４】（ａ）〜（ｃ）は上記計算装置の表示部における計算情報の表示を説明する図である。
【図５】上記計算装置による税込計算、税抜計算および税額計算の動作を示す図である。
【図６】上記計算装置による税込計算、税抜計算および税額計算の他の動作を示す図である。
【図７】本発明の実施形態２に係る計算装置の外観構成を示す図である。
【図８】図７の計算装置の制御部を中心とする主要部の構成を示すブロック図である。
【図９】図７の計算装置による本発明の実施形態３に係る税率設定および税率確認の動作を示す図である。
【発明を実施するための形態】
【００１２】
〔実施形態１〕
本発明の実施形態１について、図１〜図６に基づいて説明すれば、以下のとおりである。
【００１３】
図１は、本実施形態に係る計算装置１０１の外観構成を示す平面図である。図２は、計算装置１０１のシステム構成を示すブロック図である。図３は、計算装置１０１の制御部８を中心とする主要部の構成を示すブロック図である。
【００１４】
以降の説明において、計算装置１０１の使用状態においてユーザに近い側を手前側と称し、ユーザから遠い側を奥側と称する。
【００１５】
図１に示すように、計算装置１０１は卓上型の計算装置であって、本体１と、キー操作部２と、表示部３とを備えている。本体１は、方形をなしており、図示はしないが所定の厚みを有している。キー操作部２は、本体１においてユーザに面する操作面の手前側に配置されている。表示部３は、本体１の操作面における奥側に配置されている。
【００１６】
キー操作部２は、数値を入力するための複数の数値キーを含む数値キー部２１、固定税率キー２２，２３、税抜操作キー２４、四則計算を指定するためのキー、計算を実行するためのキー（イコールキー）などを含んでいる。キー操作部２における各キーはマトリクス状に配置されている。
【００１７】
数値キー部２１は、０から９までの数値が割り当てられた数値キー、００が割り当てられた００キーおよび小数点キーを含んでいる。数値キー部２１における数値キーは、手前側に近い数値キーほど割り当てられる数値が小さくなり、かつ左側から右側にかけて割り当てられる数値が大きくなるように配置されている。
【００１８】
固定税率キー２２，２３および税抜操作キー２４は、キー操作部２において最も奥側に位置し、かつ左側から固定税率キー２２，２３および税抜操作キー２４の順に並ぶように配置されている。固定税率キー２２は、固定の税率として８％の税率が対応付けられている。固定税率キー２３は、固定の税率として１０％の税率が対応付けられている。税抜操作キー２４は、税額を減じる操作を行なうために設けられた操作キーである。
【００１９】
表示部３は、入力された数値および計算された結果の数値、税率、計算情報などを表示するために設けられている。表示部３は、液晶パネルなどの平板型の表示装置によって構成されている。表示部３は、数値表示領域３１と、税率表示領域３２と、計算情報表示領域３３とを有している。
【００２０】
数値表示領域３１は、キー操作部２によって入力された数値および計算結果としての数値を表示する領域である。税率表示領域３２は、税率（％）を表示する領域である。計算情報表示領域３３は、後述する計算部９（図３参照）によって行なわれる計算に関する計算情報を表示する領域である。計算情報としては、税込額の計算（税込計算）、税抜額の計算（税抜計算）、および税額の計算（税額計算）が挙げられる。
【００２１】
表示部３において、最も奥側の左端付近には、税率表示領域３２が配置され、税率表示領域３２よりも手前側の左端付近には、計算情報表示領域３３が配置され、最も手前側かつ税率表示領域３２よりも右端側には、数値表示領域３１が配置されている。
【００２２】
数値表示領域３１、税率表示領域３２および計算情報表示領域３３は、表示される数字や文字が決まっているため、セグメント形式で数字や文字を表示する。
【００２３】
図２に示すように、計算装置１０１は、ＣＰＵ（Central Processing Unit）４と、ＲＡＭ（Random Access Memory）５と、ＲＯＭ（Read Only Memory）６と、補助メモリ７とをさらに備えている。
【００２４】
ＣＰＵ４は、計算装置１０１の制御プログラムを実行する処理装置である。具体的には、ＣＰＵ４は、制御プログラムの実行に際して、ＲＡＭ５、補助メモリ７、キー操作部２などからデータを受け取り、当該データに対して演算または加工を施した結果を、ＲＡＭ５、補助メモリ７、表示部３などに出力する。
【００２５】
ＲＡＭ５は、計算装置１０１における主記憶装置を構成するメモリであり、ＤＲＡＭ（Dynamic Random Access Memory）などによって構成される。ＲＡＭ５は、データの一時的な保存、ＣＰＵ４の演算処理におけるワークエリアなどに利用される。
【００２６】
ＲＯＭ６は、計算装置１０１の動作に不可欠な制御プログラムやデータを記憶している。
【００２７】
補助メモリ７は、計算に必要なデータとして、固定税率キー２２，２３に対応付けられた税率などを記憶するために設けられている。補助メモリ７は、例えば書き替え可能なフラッシュメモリによって構成されている。
【００２８】
図３に示すように、計算装置１０１は制御部８をさらに備えている。制御部８は、計算および表示の処理を制御するために設けられている。制御部８は、ＣＰＵ４がＲＯＭ６に記憶されている制御プログラムを実行することにより実現される機能ブロックの部分である。制御部８は、計算部９と、表示制御部１０とを含んでいる。
【００２９】
計算部９は、キー操作部２の各キーの操作に応じた計算処理をＣＰＵ４が有するレジスタ（図示せず）を用いて行なう。特に、計算部９は、補助メモリ７に記憶されている税率に基づく税込計算、税抜計算、税額計算および税率指定を行なう。
【００３０】
具体的には、計算部９は、操作された固定税率キー２２，２３のいずれか１つに対応付けられた税率を補助メモリ７から読み出して、当該税率に基づいて税込額を計算する。また、計算部９は、操作された固定税率キー２２，２３のいずれか１つに対応付けられた税率を補助メモリ７における所定の記憶領域に記憶させることにより、当該税率を指定する。計算部９は、税抜操作キー２４が操作されると、指定された税率を補助メモリ７から読み出して、当該税率に基づいて税抜額を計算する。
【００３１】
計算部９は、上記の税込額の計算後に、当該税込額の計算時に操作された固定税率キー２２，２３と同じキーの操作により、税額を計算する。また、計算部９は、上記の税抜額の計算後に、再度の税抜操作キー２４の操作により、税額を計算する。また、計算部９は、現在行なっている計算についての上述した計算情報をコードなどのデータで生成する。
【００３２】
表示制御部１０は、キー操作部２の数値キー部２１における数値キーの操作によって入力された数値を表示部３の数値表示領域３１に表示させる。また、表示制御部１０は、計算部９によって計算された金額（税込額、税抜額および税額）を表示部３の数値表示領域３１に表示させる。また、表示制御部１０は、計算部９によって指定された税率を、計算部９から取得して表示部３の税率表示領域３２に表示させる。さらに、表示制御部１０は、計算部９によって現在行なわれている計算についての計算情報を、視覚化するように、計算部９から取得して表示部３の計算情報表示領域３３に表示させる。表示制御部１０は、表示部３に上記のような表示を行なわせるために、表示部３に対して、表示する数字や文字に応じてセグメントの各部を点灯させるデータを出力する。
【００３３】
ここで、計算情報表示領域３３における計算情報の視覚化について説明する。図４の（ａ）〜（ｃ）は、表示部３における計算情報の表示を説明する図である。
【００３４】
図４の（ａ）に示すように、表示部３に設けられた計算情報表示領域３３は、第１表示領域３１１と、第２表示領域３１２と、第３表示領域３１３とを含んでいる。第１表示領域３１１と、第２表示領域３１２とは横方向に並ぶように配置されている。第３表示領域３１３は、第１表示領域３１１に隣接した手前側に配置されている。
【００３５】
表示制御部１０は、計算情報として税込計算を表示する場合、計算部９から取得したデータに基づいて、図４の（ａ）に示すように、第１表示領域３１１に「税」という文字を表示させ、第２表示領域３１２に「込」という文字を表示させる。これにより、計算情報表示領域３３には、「税込」という文字が表示される。このとき、表示制御部１０は、第３表示領域３１３に「抜」という文字を表示させない。
【００３６】
表示制御部１０は、計算情報として税抜計算を表示する場合、計算部９から取得したデータに基づいて、図４の（ｂ）に示すように、第１表示領域３１１に「税」という文字を表示させ、第３表示領域３１３に「抜」という文字を表示させる。これにより、計算情報表示領域３３には、「税抜」という文字が表示される。このとき、表示制御部１０は、第２表示領域３１２に「込」という文字を表示させない。
【００３７】
表示制御部１０は、計算情報として税額計算を表示する場合、計算部９から取得したデータに基づいて、図４の（ｃ）に示すように、第１表示領域３１１に「税」という文字を表示させる。これにより、計算情報表示領域３３には、「税」という文字が表示される。このとき、表示制御部１０は、第２表示領域３１２に「込」という文字を表示させず、第３表示領域３１３に「抜」という文字を表示させない。
【００３８】
このように、「税」、「込」、「抜」という３文字を、それぞれ第１表示領域３１１、第２表示領域３１２、第３表示領域３１３に表示させることにより、現在行なわれている計算が、税込計算、税抜計算、税額計算のいずれかであることを表すことができる。
【００３９】
続いて、上述のように構成される計算装置１０１の動作（計算方法）について説明する。図５は、計算装置１０１による税込計算、税抜計算および税額計算の動作を示す図である。図６は、計算装置１０１による税込計算、税抜計算および税額計算の他の動作を示す図である。図５および図６では、操作されるキーを表示部３に添えて示している。
【００４０】
図５に示すように、まず、数値キー部２１における数値キーの操作により、税抜額として１００が入力されると、表示制御部１０は、表示部３の数値表示領域３１に１００を表示させ、税率表示領域３２に１０％の税率を表示させる（Ａ１）。この状態では、１０％の税率が指定されていることがわかる。
【００４１】
Ａ１の状態から、固定税率キー２２が操作されると、計算部９は、固定税率キー２２に対応付けられた税率である８％を補助メモリ７から読み出して、当該税率に基づいて税込計算を行なう。また、計算部９は、８％の税率を補助メモリ７に記憶させて指定する。
【００４２】
計算部９は、税込計算において、表示部３に表示された金額に当該税率を乗じた税額を当該金額に加算する。具体的には、計算部９は次のようにして計算処理を行なう。まず、計算部９は、入力された税抜額（１００円）のデータをＣＰＵ４の第１レジスタに取り込んで第２レジスタにコピーするとともに、補助メモリ７から読み出した税率（８％）をＣＰＵ４の第１レジスタに取り込んでおく。次に、計算部９は、税抜額に税率を乗じた税額（８円）を第１レジスタに書き込み、当該税額を第２レジスタの税抜額と加算した税込額（１０８円）を第１レジスタに書き込んで、その値を出力する。
【００４３】
表示制御部１０は、計算された税込額（１０８円）を数値表示領域３１に「１０８」と表示させ、指定された８％の税率を税率表示領域３２に「８％」と表示させ、計算情報として税込計算を表す「税込」を計算情報表示領域３３に表示させる（Ａ２）。
【００４４】
Ａ２の状態から、再び固定税率キー２２が操作されると、計算部９は、８％の税率を補助メモリ７から読み出して、当該税率に基づいて税額計算を行なう。具体的には、上記の税込計算で第１レジスタに記憶された税額（８円）を出力する。
【００４５】
表示制御部１０は、計算された税額（８円）を数値表示領域３１に「８」と表示させ、指定された８％の税率を税率表示領域３２に「８％」と表示させ、計算情報として税額計算を表す「税」を計算情報表示領域３３に表示させる（Ａ３）。
【００４６】
また、Ａ３の状態から、再び固定税率キー２２が操作されると、計算部９は、上記の税込計算で第１レジスタに記憶された税込額を出力して、Ａ２の状態に戻す。このように、Ａ２の状態とＡ３の状態との間では、固定税率キー２２が繰り返し操作されることにより、Ａ２の表示状態とＡ３の表示状態とを切り替えることができる。
【００４７】
また、Ａ２の状態から、税抜操作キー２４が操作されると、計算部９は、指定された税率に基づいて税抜計算を行なう。計算部９は、税抜計算において、Ａ２の状態で表示部３に表示された金額（税込額）から税額を減算する。具体的には、計算部９は、第１レジスタに記憶されている税込額（１０８円）を第２レジスタにコピーしておき、当該税込額から第１レジスタに記憶されている税額（８円）を減算した税抜額（１００円）を第１レジスタに書き込んで、その値を出力する。
【００４８】
表示制御部１０は、計算された税額（８円）を数値表示領域３１に「８」と表示させ、指定された８％の税率を税率表示領域３２に「８％」と表示させ、計算情報として税抜計算を表す「税抜」を計算情報表示領域３３に表示させる（Ａ４）。
【００４９】
Ａ４の状態から、固定税率キー２２が操作されると、計算部９は、Ａ１からＡ２への計算と同じ計算を行なってＡ２の状態に移行する。また、Ａ４の状態から、再び税抜操作キー２４が操作されると、第１レジスタに記憶されている税額（８円）を出力する。表示制御部１０は、当該税額（８円）を数値表示領域３１に「８」と表示させ、指定された８％の税率を税率表示領域３２に「８％」と表示させ、計算情報として税額計算を表す「税」を計算情報表示領域３３に表示させる（Ａ５）。
【００５０】
また、Ａ５の状態から、再び税抜操作キー２４が操作されると、計算部９は、上記の税抜計算で第１レジスタに記憶された税抜額を出力して、Ａ４の状態に戻す。このように、Ａ４の状態とＡ５の状態との間では、税抜操作キー２４が繰り返し操作されることにより、Ａ４の状態とＡ５の状態とで表示状態を切り替えることができる。
【００５１】
一方、Ａ１と同じく税抜額として１００が入力された状態では、表示制御部１０は、表示部３の数値表示領域３１に１００を表示させ、税率表示領域３２に現在指定されている１０％の税率を表示させる（Ｂ１）。
【００５２】
Ｂ１の状態から、固定税率キー２３が操作されると、計算部９は、固定税率キー２３に対応付けられた税率である１０％を補助メモリ７から読み出して、当該税率に基づいて税込計算を行なう。また、計算部９は、１０％の税率を補助メモリ７に記憶させて指定する。
【００５３】
計算部９は、税込計算において、Ａ１からＡ２への計算と同様の計算を１０％の税率に基づいて行なう。表示制御部１０は、計算された税込額（１１０円）を数値表示領域３１に「１１０」と表示させ、指定された１０％の税率を税率表示領域３２に「１０％」と表示させ、計算情報として税込計算を表す「税込」を計算情報表示領域３３に表示させる（Ｂ２）。
【００５４】
Ｂ２の状態から、再び固定税率キー２３が操作されると、計算部９は、１０％の税率を補助メモリ７から読み出して、当該税率に基づいて税額計算を行なう。計算部９は、税額計算において、Ａ２からＡ３への計算と同様の計算を、１１０円の税込額に対して１０％の税率に基づいて行なう。表示制御部１０は、計算された税額（１０円）を数値表示領域３１に「１０」と表示させ、指定された１０％の税率を税率表示領域３２に「１０％」と表示させ、計算情報として税額計算を表す「税」を計算情報表示領域３３に表示させる（Ｂ３）。
【００５５】
Ｂ２の状態とＢ３の状態との間でも、Ａ２の状態とＡ３の状態との間と同様、固定税率キー２３が繰り返し操作されることにより、Ｂ２の表示状態とＢ３の表示状態とを切り替えることができる。
【００５６】
Ｂ３の状態から、税抜操作キー２４が操作されると、計算部９は、上記の税額に対して指定された１０％の税率で税抜計算を行なう。表示制御部１０は、計算された税抜額（９．０９０９０９１円）を数値表示領域３１に「９．０９０９０９１」と表示させ、指定された１０％の税率を税率表示領域３２に「１０％」と表示させ、計算情報として税抜計算を表す「税抜」を計算情報表示領域３３に表示させる（Ｂ４）。
【００５７】
また、Ｂ２の状態から、税抜操作キー２４が操作されると、指定された税率に基づいて税抜計算を行なう。計算部９は、税抜計算において、Ａ２からＡ４への計算と同様の計算を、１１０円の税込額に対して１０％の税率に基づいて行なう。表示制御部１０は、計算された税抜額（１００円）を数値表示領域３１に「１００」と表示させ、指定された１０％の税率を税率表示領域３２に「１０％」と表示させ、計算情報として税抜計算を表す「税抜」を計算情報表示領域３３に表示させる（Ｂ５）。
【００５８】
Ｂ５の状態から、固定税率キー２３が操作されると、計算部９は、Ｂ１からＢ２への計算と同じ計算を行なってＢ２の状態に移行する。また、Ｂ５の状態から、再び税抜操作キー２４が操作されると、税額（１０円）を出力する。表示制御部１０は、当該税額（１０円）を数値表示領域３１に「１０」と表示させ、指定された１０％の税率を税率表示領域３２に「１０％」と表示させ、計算情報として税額計算を表す「税」を計算情報表示領域３３に表示させる（Ｂ６）。
【００５９】
Ｂ５の状態とＢ６の状態との間でも、Ａ４の状態とＡ５の状態との間と同様、税抜操作キー２４が繰り返し操作されることにより、Ｂ５の表示状態とＢ６の表示状態とを切り替えることができる。
【００６０】
また、Ａ２の状態から固定税率キー２３が操作されると、計算部９は、８％の税率で計算された税込額を１０％の税率で計算された税込額に変換する。このとき、計算部９は、第２レジスタに記憶された税抜額（１００円）に、補助メモリ７から第１レジスタに取り込んだ税率（１０％）を乗算した税額（１０円）を第１レジスタに書き込み、当該税額を第２レジスタの１００と加算した税込額（１１０円）を第１レジスタに書き込んで、その値を出力する。これにより、表示制御部１０は、Ｂ２と同じ税込額、税率および計算情報（税込）を表示部３に表示させる。
【００６１】
一方、Ｂ２の状態から固定税率キー２２が操作されると、計算部９は、１０％の税率で計算された税込額を８％の税率で計算された税込額に変換する。これにより、表示制御部１０は、Ａ２と同じ税込額、税率および計算情報（税込）を表示部３に表示させる。
【００６２】
また、Ａ３の状態から固定税率キー２３が操作されると、計算部９は、８％の税率で計算された税額を１０％の税率で計算された税額に変換する。このとき、計算部９は、第２レジスタに記憶された税抜額（１００円）に、補助メモリ７から第１レジスタに取り込んだ税率（１０％）を乗算した税額（１０円）を第１レジスタに書き込んで、その値を出力する。これにより、表示制御部１０は、Ｂ３と同じ税額、税率および計算情報（税）を表示部３に表示させる。
【００６３】
一方、Ｂ３の状態から固定税率キー２２が操作されると、計算部９は、１０％の税率で計算された税額を８％の税率で計算された税額に変換する。これにより、表示制御部１０は、Ａ３と同じ税額、税率および計算情報（税）を表示部３に表示させる。
【００６４】
なお、上述した計算部９による第１レジスタおよび第２レジスタを用いた計算処理は、一例であって、計算部９が行なう計算処理については、当該一例の計算処理には限定されない。
【００６５】
図６には、入力された税込額を元に税抜計算、税込計算および税額計算を行なう例を示している。図６に示す各種計算の具体的な計算処理については、図５を参照して説明した上記の例と同様であるので、以降の説明では、その詳細を省略する。また、表示制御部１０は、計算部９から取得した税抜額、税込額および税率を図５の例と同様にして表示部３に表示させるので、以降の説明では、表示制御部１０による表示制御の記載を省略する。
【００６６】
図６に示すように、まず、８％の税率が指定されて、税込額（１０８円）が入力された状態で（Ａ１１）、税抜操作キー２４が操作されると、計算部９は、８％の税率で税抜額（１００円）を計算する。このとき、計算部９は、「１」に「税率／１００」を加算した値（１．０８）で税込額を除算して税抜計算を行なう（Ａ１２）。
【００６７】
Ａ１２の状態から、さらに税抜操作キー２４が操作されると、計算部９は、上述したＡ４からＡ５への計算と同様にして、税額（８円）を計算する（Ａ１３）。また、Ａ１２の状態とＡ１３の状態との間でも、Ａ４の状態とＡ５の状態との間と同様、税抜操作キー２４が繰り返し操作されることにより、Ａ１２の表示状態とＡ１３の表示状態とを切り替えることができる。
【００６８】
Ａ１３の状態から、固定税率キー２３が操作されると、計算部９は、上記の税額に対して１０％の税率で税込額（８．８円）を計算する（Ａ１４）。また、Ａ１３の状態から固定税率キー２２が操作されると、計算部９は、上記の税額に対して８％の税率で税込額（８．６４円）を計算する（Ａ１５）。
【００６９】
一方、１０％の税率が指定されて、税込額（１１０円）が入力された状態で（Ｂ１１）、税抜操作キー２４が操作されると、計算部９は、１０％の税率で税抜額（１００円）を計算する。このとき、計算部９は、「１」に「税率／１００」を加算した値（１．１０）で税込額を除算して税抜計算を行なう（Ｂ１２）。
【００７０】
Ｂ１２の状態から、さらに税抜操作キー２４が操作されると、計算部９は、上述したＢ５からＢ６への計算と同様にして、税額（１０円）を計算する（Ｂ１３）。また、Ｂ１２の状態とＢ１３の状態との間でも、Ｂ５の状態とＢ６の状態との間と同様、税抜操作キー２４が繰り返し操作されることにより、Ｂ１２の表示状態とＢ１３の表示状態とを切り替えることができる。
【００７１】
Ｂ１３の状態から、固定税率キー２３が操作されると、計算部９は、上記の税額に対して１０％の税率で税込額（１１円）を計算する（Ｂ１４）。また、Ｂ１３の状態から固定税率キー２２が操作されると、計算部９は、上記の税額に対して８％の税率で税込額（１０．８円）を計算する（Ｂ１５）。
【００７２】
また、Ａ１２の状態から、固定税率キー２２が操作されると、計算部９は、８％の税率で税込額（１０８円）を計算する（Ｃ１１）。また、Ｂ１２の状態から、固定税率キー２２が操作されても、計算部９は、８％の税率で税込額（１０８円）を計算する（Ｃ１１）。Ｃ１１の状態から、税抜操作キー２４が操作されると、計算部９は、上述したＡ２からＡ４への税抜計算と同じ税抜計算を行なって、Ａ１２の状態に移行する。
【００７３】
また、Ｃ１１の状態から、固定税率キー２３が操作されると、計算部９は、上述したＡ２からＢ２への変換計算と同じ変換計算を行なって、１０％の税率での税込額（１１０円）を計算する（Ｃ１２）。Ｃ１２の状態から、固定税率キー２２が操作されると、計算部９は、上述したＢ２からＡ２への変換計算と同じ変換計算を行なって、８％の税率での税込額（１０８円）を計算して、Ｃ１１の状態に移行する。
【００７４】
また、Ａ１２およびＢ１２の状態から、固定税率キー２３が操作されると、計算部９は、上述したＢ１からＢ２への計算と同じ計算を行なって、Ｃ１２の状態に移行する。また、Ｃ１２の状態から、税抜操作キー２４が操作されると、上述したＢ２からＢ５への計算と同じ計算を行なって、Ｂ１２の状態に移行する。
【００７５】
なお、図５および図６を参照した上記の説明では、税額に対する税込額を計算するといった通常は行なわれないと思われる計算の例についても述べている。ただし、これらの例については、あくまでも計算例として挙げているに過ぎない。
【００７６】
以上のように、本実施形態に係る計算装置１０１は、固定の税率である８％に対応付けられた固定税率キー２２と、固定の税率である１０％に対応付けられた固定税率キー２３とを備えている。また、計算装置１０１は、固定税率キー２２，２３のうちの操作された１つに対応付けられた税率に基づいて税込額を計算する計算部９と、計算部９によって計算された税込額を表示部３に表示させる表示制御部１０とを備えている。
【００７７】
これにより、操作された固定税率キー２２，２３のうちの１つが操作されると、その１つに対応付けられた税率の指定と、指定された税率に基づく税込計算とが行なわれる。それゆえ、税率の指定のための操作キーと、税込計算を行なうための操作キーとを個別に設ける必要がなくなる。したがって、操作キーの削減を図ることができるとともに、税込計算における操作キーの操作数の削減も併せて図ることができる。
【００７８】
これに対し、税率を税率キーの操作によって切り替える従来の計算装置では、計算を実行するために、税率キーの操作と、税込計算キーまたは税抜計算キーの操作とが必要となる。このため、キー操作がユーザにとって負担となる。特に、多数の計算を行なう場合、その負担が顕著となる。
【００７９】
また、税率をスライドスイッチの操作によって切り替える従来の計算装置では、計算を実行するために、スライドスイッチの操作と、税込計算キーまたは税抜計算キーの操作とが必要となる。このため、当該計算装置でも、キー操作がユーザにとって負担となる。
【００８０】
本実施形態の計算装置１０１では、操作キーが従来の計算装置に比べて削減されているので、上記のように操作キーの操作数を減らすことで操作の負担を軽減することが可能となる。
【００８１】
なお、固定税率キー２２，２３に対応付けられる税率は、それぞれ８％と１０％であるが、これらの税率に限定されないことは勿論である。
【００８２】
表示制御部１０は、操作された固定税率キー２２，２３のうちの操作された１つに対応付けられた税率を表示部３の税率表示領域３２に表示させる。
【００８３】
これにより、表示部３において、指定されている税率が税込額とともに表示されるので、税率を視覚的に把握することができる。それゆえ、指定されている税率がわからない状態になることはない。したがって、そのような状態で必要となる税率を指定するためのキー操作を回避することができる。
【００８４】
表示制御部１０は、税込額が表示部３に表示された状態で、操作された固定税率キー２２，２３のうちの１つと同じ固定税率キーの操作に応じて得られた税額を表示部３に表示させる。また、表示制御部１０は、当該税額が表示部３に表示された状態で、上記の同じ固定税率キーの操作に応じて得られた税込額を表示部３に表示させてもよい。
【００８５】
これにより、固定税率キー２２，２３のうちの１つのキーを繰り返し操作することで、表示部３の数値表示領域３１には、例えば図５のＡ２およびＡ３の状態のように、税込額と税額とを交互に表示させることができる。したがって、税額を確認した後に、税込額を確認するといった両者の比較を容易に行なうことができる。
【００８６】
計算装置１０１は、税額を減じる操作を行なうための税抜操作キー２４を備えている。また、表示制御部１０は、税抜操作キー２４の操作に応じて、表示部３に表示されている指定された税率に基づいて得られた税抜額を表示部３に表示させる。
【００８７】
このように、複数の税率に共通した税抜操作キー２４を操作することで、指定された税率に基づいて税抜額を計算することができる。これにより、税率に応じた税抜操作キーを複数備える必要がなくなり、操作キーの削減を図ることができる。また、税抜操作キーが複数あることによる誤操作を防止することができる。
【００８８】
表示部３は、計算部９によって行なわれる計算が税込計算、税抜計算および税額計算のいずれか１つであることを表す計算情報を、税率表示領域３２に近接した計算情報表示領域３３に表示させる。また、表示部３において、数値表示領域３１、税率表示領域３２および計算情報表示領域３３が図１に示すように配置されている。
【００８９】
これにより、ユーザは、税率表示領域３２に表示された注目を引く税率を確認した後に、税率表示領域３２に近接した計算情報表示領域３３に表示された計算情報を確認し、さらに数値表示領域３１に表示された計算額を確認するように視線を動かす。それゆえ、表示部３における奥側から手前側への自然な視線の動きで、税率、計算情報および計算額（数値）を確認することができる。また、税率と計算情報とが近接して視覚効果的に配置されているので、視線の動きを小さくして、税率と計算情報とを容易に把握することができる。
【００９０】
固定税率キー２２，２３のそれぞれの頂部（キートップ）には、対応付けられた税率が明示されている。税率は、印刷、刻印、ＬＥＤ表示などの容易には外れない形態で明示されている。ＬＥＤ表示は、固定税率キー２２，２３の内部に配置されたＬＥＤを点灯させることにより、キートップの文字形状のスリットから漏れるＬＥＤの光で税率を表現する。また、固定税率キー２２，２３は、ＬＥＤ、液晶、有機ＥＬなどで構成されることにより、ユーザが設定した税率を表示するように構成されていてもよい。また、固定税率キー２２，２３は、税率が記載されたシートが載せられ、さらにその上に透明のキーカバーで覆われていてもよい。
【００９１】
これにより、固定税率キー２２，２３に対応付けられた税率を容易に把握することができる。したがって、固定税率キー２２，２３の誤操作を少なくすることができる。
【００９２】
〔実施形態２〕
本発明の実施形態２について、図２、図７および図８に基づいて説明すれば、以下のとおりである。なお、説明の便宜上、実施形態１にて説明した部材と同等の機能を有する部材については、同じ符号を付記し、その説明を省略する。また、本実施形態では、実施形態１と異なる部分について説明する。
【００９３】
図７は、本実施形態に係る計算装置１０２の外観構成を示す図である。図８は、計算装置１０２の制御部８Ａを中心とする主要部の構成を示すブロック図である。
【００９４】
図７に示すように、計算装置１０２は卓上型の計算装置であって、本体１と、キー操作部２Ａと、表示部３とを備えている。
【００９５】
キー操作部２Ａは、数値を入力するための複数の数値キーを含む数値キー部２１、固定税率キー２２，２３、税抜操作キー２４、四則計算を指定するためのキー、計算を実行するための計算実行キー（イコールキー）などを含んでいる。キー操作部２Ａにおける各キーはマトリクス状に配置されている。また、キー操作部２Ａは、さらに任意税率キー２５を備えている。
【００９６】
任意税率キー２５は、ユーザによって設定された任意の税率が対応付けられている。任意税率キー２５に対応付けられる税率は、最も高い税率であって、固定税率キー２３に対応付けられた１０％の税率よりも高い。なお、任意税率キー２５に対応付けられる税率は、最も高い税率に限らず、地方税のような頻繁に使う税率であってもよい。
【００９７】
任意税率キー２５の頂部（キートップ）には、固定の税率が対応付けられていないので、「税込」の文字が明示されている。「税込」の文字の明示形態は、固定税率キー２２，２３における税率の明示形態と同じである。なお、「税込」という文字の明示により、ユーザが、固定の税率による計算と混同する可能性がある。したがって、固定税率キー２２，２３に表示された８％や１０％の税率による税込計算と区別できるように、任意税率キー２５における文字を「税込３」や「任意税込」というように明示するとより好ましい。
【００９８】
任意税率キー２５は、キー操作部２Ａにおいて固定税率キー２３と税抜操作キー２４との間に配置されている。これにより、キー操作部２Ａにおいて、固定税率キー２２，２３、任意税率キー２５および税抜操作キー２４は、左側からからこの順に並ぶように配置されている。特に、固定税率キー２２，２３および任意税率キー２５については、それぞれに対応付けられた税率が左側から高くなっていく順に並ぶように配置されている。
【００９９】
また、図２に示すように、計算装置１０２は、ＣＰＵ４と、ＲＡＭ５と、ＲＯＭ６と、補助メモリ７とを備えている。また、図８に示すように、計算装置１０２は、制御部８Ａをさらに備えている。制御部８Ａは、計算および表示の処理を制御するために設けられている。制御部８Ａは、ＣＰＵ４がＲＯＭ６に記憶されている制御プログラムを実行することにより実現される機能ブロックの部分である。
【０１００】
制御部８Ａは、計算部９と、表示制御部１０と、税率設定部１１とを含んでいる。税率設定部１１は、ユーザによる税率の設定を受け受け、設定された税率を任意税率キー２５に対応付ける。税率設定部１１は、設定された税率を補助メモリ７に記憶させる。
【０１０１】
上記のように構成される計算装置１０２も、上述した計算装置１０１と同じく、固定税率キー２２，２３と、計算部９と、表示制御部１０とを備えている。これにより、操作キーの削減と、操作キーの操作数とを削減して、操作の負担を軽減することができる。
【０１０２】
また、計算装置１０２は、任意税率キー２５をさらに備えている。また、計算部９は、固定税率キー２２，２３および任意税率キー２５のうちの操作された１つに対応付けられた税率に基づいて、税込額を計算する。また、固定税率キー２２，２３と最も高い税率が対応付けられた任意税率キー２５とが、それぞれに対応付けられた税率の順に並ぶように配置されている。
【０１０３】
これにより、固定税率キー２２，２３および任意税率キー２５を視覚的に操作しやすくすることができる。
【０１０４】
数値キー部２１における数値キーは、それぞれに割り当てられた数値が大きくなる順（本実施形態では左から右へ大きくなる順）に配置されている。また、固定税率キー２２，２３および任意税率キー２５が、数値キーにそれぞれ割り当てられた数値が増加する方向に沿って、それぞれに対応付けられた税率が高くなる順（本実施形態では左から右へ大きくなる順）に並ぶように配置されている。
【０１０５】
これにより、数値キーの数値が増加する方向と、固定税率キーと任意税率キーとの税率が高くなる方向が同じになるので、視覚的に操作がしやすくなる。
【０１０６】
〔実施形態３〕
本発明の実施形態３について、図７〜図９に基づいて説明すれば、以下のとおりである。なお、説明の便宜上、実施形態１にて説明した部材と同等の機能を有する部材については、同じ符号を付記し、その説明を省略する。また、本実施形態では、実施形態２の計算装置１０２による任意税率キー２５への税率設定および任意税率キー２５に設定された税率の確認について説明する。
【０１０７】
図９は、計算装置１０２による本実施形態に係る税率設定および税率確認の動作を示す図である。図９においては、表示部３の左側に操作されるキーを添えて記載している。
【０１０８】
ユーザが任意税率キー２５へ税率を設定する場合、図９に示すように、まず、図７に示すクリアキー２６が１度操作されるか、またはクリアエントリーキー２７が２度操作されると、税率設定部１１が起動して、税率設定・確認モードに移行する（Ａ２１）。Ａ２１の状態では、表示部３において、数値表示領域３１に０が表示され、税率表示領域３２に例えば１０％の税率が表示されている。
【０１０９】
Ａ２１の状態から、税率設定・確認モードにおいて任意税率キー２５が操作されると、税率設定部１１は、税率の設定が可能な状態に移行する（Ａ２２）。Ａ２２の状態では、税率設定部１１は、計算情報として、税率設定・確認モードであることを計算情報として表示制御部１０に提供する。
【０１１０】
表示部３の計算情報表示領域３３は、第１表示領域３１１、第２表示領域３１２および第３表示領域３１３に加えて、第２表示領域３１２と第３表示領域３１３とに接する第４表示領域３１４を有している。Ａ２２の状態において、表示制御部１０は、第１表示領域３１１に「税」を表示させ、第４表示領域３１４に「率」を表示させる。これにより、計算情報表示領域３３には、税率設定・確認モードを表す「税率」という文字が表示される。このとき、表示制御部１０は、第２表示領域３１２に「込」という文字を表示させず、第３表示領域３１３に「抜」という文字を表示させない。
【０１１１】
Ａ２２の状態から、例えば、税率を表す数値として「１２」が数値キーの操作で入力されると、表示部３の数値表示領域３１には、「１２」が表示される（Ａ２３）。Ａ２３の状態から、任意税率キー２５が操作されると、税率設定部１１は、１２を任意税率キー２５に対応付ける税率として設定し、設定した税率を補助メモリ７に記憶させる（Ａ２４）。Ａ２４の状態では、表示制御部１０は、表示部３における計算情報表示領域３３の近傍に「＝」を表示させる。これにより、税率設定が行なわれたことが表される。
【０１１２】
Ａ２４の状態から、クリアキー２６またはクリアエントリーキー２７が操作されると、税率設定部１１は、税率設定・確認モードを解除する（Ｃ２１）、Ｃ２１の状態では、税率設定部１１が、税率を任意税率キー２５に設定された税率を指定するように、補助メモリ７に記憶されている指定税率を書き替える。表示制御部１０は、書き替えられた指定税率を税率表示領域３２に表示させる。
【０１１３】
一方、ユーザが任意税率キー２５に設定された税率を確認する場合、図９に示すように、まず、クリアキー２６またはクリアエントリーキー２７が２度操作されると、図８に示す税率設定部１１が起動して、税率設定・確認モードに移行する（Ｂ２１）。Ｂ２１の状態では、Ａ２１の状態と同様に、表示部３において、数値表示領域３１に０が表示され、税率表示領域３２に例えば１０％の税率が表示されている。
【０１１４】
Ｂ２１の状態から、税率設定・確認モードにおいて税率確認の機能を有する税抜操作キー２４が操作されると、税率の確認が可能な状態に移行する（Ｂ２２）。Ｂ２２の状態において、税率設定部１１は、任意税率キー２５に設定されている税率を補助メモリ７から読み出す。表示制御部１０は、税率設定部１１によって読み出された税率（１２％）を数値表示領域３１に「１２」と表示させる（Ｂ２２）。
【０１１５】
Ｂ２２の状態から、クリアキー２６またはクリアエントリーキー２７が操作されると、税率設定部１１は、税率設定・確認モードを解除する（Ｃ２１）。
【０１１６】
〔ソフトウェアによる実現例〕
計算装置１０１，１０２の制御ブロック（特に制御部８）は、集積回路（ＩＣチップ）等に形成された論理回路（ハードウェア）によって実現してもよいし、ソフトウェアによって実現してもよい。
【０１１７】
後者の場合、計算装置１０１，１０２は、各機能を実現するソフトウェアである制御プログラム（計算プログラム）の命令を実行するコンピュータを備えている。このコンピュータは、例えば少なくとも１つのプロセッサ（制御装置）を備えていると共に、上記制御プログラムを記憶したコンピュータ読み取り可能な少なくとも１つの記録媒体を備えている。そして、上記コンピュータにおいて、上記プロセッサが上記制御プログラムを上記記録媒体から読み取って実行することにより、本発明の目的が達成される。
【０１１８】
上記プロセッサとしては、例えばＣＰＵ４を用いることができる。上記記録媒体としては、「一時的でない有形の媒体」、例えば、ＲＯＭ６等の他、テープ、ディスク、カード、半導体メモリ、プログラマブルな論理回路などを用いることができる。また、上記プログラムを展開するＲＡＭ５などをさらに備えていてもよい。また、上記制御プログラムは、該制御プログラムを伝送可能な任意の伝送媒体（通信ネットワークや放送波等）を介して上記コンピュータに供給されてもよい。
【０１１９】
なお、本発明の一態様は、上記プログラムが電子的な伝送によって具現化された、搬送波に埋め込まれたデータ信号の形態でも実現され得る。
【０１２０】
〔まとめ〕
本発明の態様１に係る計算装置は、金額を表示する表示部と、複数の異なる固定の税率が対応付けられた複数の固定税率キーと、操作された１つの前記固定税率キーに対応付けられた税率に基づいて、税込額を計算する計算部と、前記計算部によって計算された金額を前記表示部に表示させる表示制御部と、を備えている。
【０１２１】
上記の構成によれば、１つの固定税率キーを操作することで、税率の指定と、指定された税率に基づく税込額の計算とが実行される。これにより、税率を設定するための操作キーと、税込額の計算を行なうための操作キーとを個別に設ける従来の計算装置と比べて、操作キーを削減することができる。操作キーが削減されることに伴い、操作キーの操作数も削減される。それゆえ、操作の負担を軽減することができる。
【０１２２】
本発明の態様２に係る計算装置は、上記態様１において、前記計算部が前記表示部に表示された金額に当該税率を乗じた税額を当該金額に加算してもよい。
【０１２３】
本発明の態様３に係る計算装置は、上記態様１または２において、前記表示制御部が、操作された前記固定税率キーに対応付けられた税率を前記表示部に表示させてもよい。
【０１２４】
上記の構成によれば、表示部において、指定されている税率が税込額とともに表示されるので、税率を視覚的に把握することができる。これにより、指定されている税率がわからないために税率を指定するためのキー操作を行なう必要がなくなる。
【０１２５】
本発明の態様４に係る計算装置は、上記態様１から３のいずれかにおいて、前記表示制御部が、前記税込額が前記表示部に表示された状態で、操作された前記固定税率キーと同じ前記固定税率キーの操作に応じて得られた税額を前記表示部に表示させ、当該税額が前記表示部に表示された状態で、操作された前記固定税率キーと同じ前記固定税率キーの操作に応じて得られた前記税込額を前記表示部に表示させてもよい。
【０１２６】
上記の構成によれば、同じ固定税率キーの操作によって、税込額と税額とを表示することができる。これにより、税込額と税額とを交互に表示させることができる。したがって、両者の比較を容易に行なうことができる。
【０１２７】
本発明の態様５に係る計算装置は、上記態様３または４において、税額を減じる操作を行なうための税抜操作キーをさら１つに備え、前記表示制御部が、前記税抜操作キーの操作に応じて、前記表示部に表示されている前記税率に基づいて得られた税抜額を前記表示部に表示させてもよい。
【０１２８】
上記の構成によれば、複数の税率に共通した税抜操作キーを操作することで、税抜額を計算することができる。これにより、税率に応じた税抜操作キーを複数備える従来の計算装置と比べて、税抜操作キーを削減することができる。また、税抜操作キーが複数あることによる誤操作を防止することができる。
【０１２９】
本発明の態様６に係る計算装置は、上記態様３または４において、表示部が、前記計算部によって行なわれる計算が税込計算、税抜計算および税額計算のいずれか１つであることを表す計算情報を、税率に近接した位置に表示してもよい。
【０１３０】
上記の構成によれば、ユーザは、表示部において注目を引く税率を確認した後に、税率に近接した位置に表示された計算情報を確認するように視線を動かす。このように、税率と計算情報とが近接して視覚効果的に配置されているので、税率と計算情報とを容易に把握することができる。
【０１３１】
本発明の態様７に係る計算装置は、上記態様１から６のいずれかにおいて、任意の税率が対応付けられた任意税率キーをさらに備え、前記計算部が、前記任意税率キーおよび複数の前記固定税率キーのうちの操作された１つに対応付けられた税率に基づいて、税込額を計算し、前記任意税率キーに最も高い税率が対応付けられ、前記固定税率キーと前記任意税率キーとが、それぞれに対応付けられた税率の順に並ぶように配置されていてもよい。
【０１３２】
上記の構成によれば、固定税率キーと任意税率キーとが税率の順に並ぶので、視覚的に操作がしやすくなる。
【０１３３】
本発明の態様８に係る計算装置は、上記態様７において、数値を入力するための数値キーであって、それぞれに割り当てられた数値が大きくなる順に配置されている複数の数値キーをさらに備え、前記固定税率キーおよび前記任意税率キーが、前記数値キーにそれぞれ割り当てられた数値が増加する方向に沿って、それぞれに対応付けられた税率が高くなる順に並ぶように配置されていてもよい。
【０１３４】
上記の構成によれば、数値キーの数値が増加する方向と、固定税率キーと任意税率キーとの税率が高くなる方向が同じになるので、視覚的に操作がしやすくなる。
【０１３５】
本発明の態様９に係る計算装置は、上記態様１から８のいずれかにおいて、前記固定税率キーのそれぞれには、対応付けられた税率が明示されていてもよい。
【０１３６】
上記の構成によれば、固定税率キーに対応付けられた税率を容易に把握することができる。これにより、固定税率キーの誤操作を少なくすることができる。
【０１３７】
本発明の態様１０に係る計算方法は、計算装置に設けられた表示部に金額を表示させる表示ステップと、前記計算装置に設けられた、複数の異なる税率が対応付けられた複数の固定税率キーのいずれか１つの操作に基づいて税込額を計算する計算ステップと、を含み、前記表示ステップにおいて、計算された金額を前記表示部に表示させる。
【０１３８】
上記の構成によれば、態様１に係る計算装置と同様、操作キーを削減することができるとともに、操作キーの操作数も削減される。それゆえ、操作の負担を軽減することができる。
【０１３９】
本発明の各態様に係る計算装置は、コンピュータによって実現してもよく、この場合には、コンピュータを上記計算装置が備える各部（ソフトウェア要素）として動作させることにより上記計算装置をコンピュータにて実現させる計算装置の計算プログラムも、本発明の範疇に入る。
【０１４０】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４１】
３  表示部
９  計算部
１０  表示制御部
２１  数値キー部
２２，２３  固定税率キー
２４  税抜操作キー
２５  任意税率キー
１０１，１０２  計算装置
【図１】
2020187422.tif 000003
【図２】
2020187422.tif 000004
【図３】
2020187422.tif 000005
【図４】
2020187422.tif 000006
【図５】
2020187422.tif 000007
【図６】
2020187422.tif 000008
【図７】
2020187422.tif 000009
【図８】
2020187422.tif 000010
【図９】
2020187422.tif 000011